(57)【要約】【課題】厚生労働省のガイドライン「手摺先行方法」を遵守できる工事用足場における二段手摺先行構造を提供すること。【解決手段】足場１０を、骨組み構造１１と作業デッキ２０とで構成する。骨組み機構１１をベランダ床面とベランダ天井壁とを突っ張るように構成するとともに、作業デッキ２０を、複数の骨組み機構１１から側壁７の外方に突出した足場台用ステー１７に架け渡して配置する足場台２１と、足場台２１の周縁部から立設する正面手摺２４、側面手摺２５で構成する。正面手摺２４、側面手摺２５には、少なくとも２段の横枠部２４２と幅木２２とを備えている。正面手摺２４、側面手摺２５を、足場台２１に対して接近する伏臥姿勢と、足場台２１から離隔する立ち上がり姿勢との二位置を移動可能に配置し、正面手摺２４、側面手摺２５とをワイヤで牽引可能に張架する。【選択図】図１
2011094386.tif 000002
【特許請求の範囲】
【請求項１】
下面に配設されるベランダ床面と上面に配設されるベランダ天井壁と側面に配設されるベランダ側壁とでベランダが構成され、前記ベランダ内で組付・解体可能に構成されるとともに、前記ベランダ床面と前記ベランダ天井壁とを突っ張るように支持された骨組み機構と、前記骨組み機構から前記ベランダ側壁の外側に向かって配設されて作業者が作業する足場台を備える作業デッキと、を備えて構成される工事用足場における二段手摺先行構造であって、
前記作業デッキには、前記足場台の周りを囲うとともに少なくとも２段の中間横枠部を有する手摺と、前記足場台の周りを囲う幅木とが配設され、
前記手摺は、前記足場台に接近して前記足場台に伏せる伏臥姿勢と、前記足場台から離隔して立ち上がる立ち上がり姿勢との二位置に移動可能に構成され、
作業者が前記作業デッキで作業する際に、前記作業者が前記作業デッキに上る前に、前記手摺が、前記立ち上がり姿勢に保持されていることを特徴とする工事用足場における二段手摺先行構造。
【請求項２】
前記足場台は、前記骨組み機構から延設する複数の足場台用ステー上に架け渡され、
前記手摺が、前記足場台の縁部周辺に立設された手摺支持部に傾倒可能に支持されるとともに、前記手摺の上端部が、前記ベランダ内で操作可能な第１の牽引手段で牽引されることを特徴とする請求項１記載の工事用足場における二段手摺先行構造。
【請求項３】
前記手摺は、前記第１の牽引手段で、前記伏臥姿勢から前記立ち上がり姿勢に移動された後、前記手摺支持部に磁力で固定するように構成されたロックピンで固定することにより、前記手摺の立ち上がり姿勢を保持することを特徴とする請求項２記載の工事用足場における二段手摺先行構造。
【請求項４】
前記足場台には開閉可能なハッチが配設され、前記ハッチが前記ベランダに配設された昇降可能なタラップに連結されるとともに前記ハッチの開口側先端が、前記ベランダ内で操作可能な第２の牽引手段で前記手摺に連結されていることを特徴とする請求項３記載の工事用足場における二段手摺先行構造。
【発明の詳細な説明】
【技術分野】
【０００１】
本発明は、高層住宅又は超高層住宅等における足場組付に関して安全性を向上できる工事用足場における二段手摺先行構造に関する。
【背景技術】
【０００２】
軒の高さ１０メートル以上の建築工事を行う際に、労働者の足場からの墜落等を防止するとともに快適な職場環境を形成するために、厚生労働省から「手摺先行工法」に関するガイドラインが示されている。「手摺先行工法」とは、足場の組立・解体作業を常に二段手摺が先行されている状態で行うことができる工法であると定義されている。つまり、足場の組み立て作業を行う場合、作業者が一層上の足場の作業床を設置する前に、当該作業床の端となる箇所に適切な手摺を先行設置しなければならない。
【０００３】
一方、地上２０階以上を越える高層住宅や超高層住宅でのベランダ側壁の清掃工事や改修工事等の外壁工事を行う場合、高層で発生するビル風が建物に当たって舞い上がったり、また吹き抜けたりすることによって、地上では考え難い風の影響を受けやすい。このため、従来から行われていたベランダ外壁工事、例えば、屋上からゴンドラを吊り下げて行う作業は、危険が大きいことから実施できにくい状況にあった。近年、超高層住宅が立ち並ぶ中、ベランダ外壁工事の際にゴンドラの落下する事故が発生している。また、地上から積み上げて構成するピケ足場の場合、高層住宅の場合では、足場作りが大掛かりな作業となって工事の長期化又は莫大な工事費用がかかり、現実には足場を構成することに無理が生じていた。
【０００４】
このことから、従来においては、特許文献１に知られるように、ベランダで組み付けることができる足場が提供されていた。これによると、足場は、ベランダの床面と天井壁とを突っ張るように支持する支柱を設けて足場本体を構成し、足場本体からベランダ外側に、張り出し枠体を突出させて作業枠体としていた。これによって、足場本体を簡略化することができるとともに、工期も短くすることができ、工事費用も廉価にできることとなっていた。
【先行技術文献】
【特許文献】
【０００５】
【特許文献１】特開平１１−２２３０１２公報
【発明の概要】
【発明が解決しようとする課題】
【０００６】
特許文献１の足場は、下段枠と上段枠と張り出し枠(作業デッキ)とからなり、外壁工事を作業するベランダ内で足場を組付けるものである。この足場においては、作業デッキの下部が存在せず常に最上階であるため、作業デッキの下方からは手摺を装着する作業を行うことができない。例えば、作業デッキを組付ける際、作業デッキの手摺を張り出し枠に差し込むためには、ベランダ内ではできず、作業者が作業デッキに上った上で組付けなければならなかった。そのため、厚生労働省からのガイドラインで示されている「先行二段手摺」を組付けることができず、ガイドラインで示される「手摺先行工法」は遵守できないことから、このままでは施工することができなかった。
【課題を解決するための手段】
【０００７】
本発明は、上述の課題を解決するものであり「手摺先行工法」を遵守できるように構成した工事用足場における二段手摺先行構造を提供することを目的とする。そのため、本発明に係る工事用足場における二段手摺先行構造は、以下のように構成するものである。すなわち、
請求項１記載の発明では、下面に配設されるベランダ床面と上面に配設されるベランダ天井壁と側面に配設されるベランダ側壁とでベランダが構成され、前記ベランダ内で組付・解体可能に構成されるとともに、前記ベランダ床面と前記ベランダ天井壁とを突っ張るように支持された骨組み機構と、前記骨組み機構から前記ベランダ側壁の外側に向かって配設されて作業者が作業する足場台を備える作業デッキと、を備えて構成される工事用足場における二段手摺先行構造であって、前記作業デッキには、前記足場台の周りを囲うとともに少なくとも２段の中間横枠部を有する手摺と、前記足場台の周りを囲う幅木とが配設され、前記手摺は、前記足場台に接近して前記足場台に伏せる伏臥姿勢と、前記足場台から離隔して立ち上がる立ち上がり姿勢との二位置に移動可能に構成され、作業者が前記作業デッキで作業する際に、前記作業者が前記作業デッキに上る前に、前記手摺が、前記立ち上がり姿勢に保持されていることを特徴とするものである。
【０００８】
請求項２記載の発明は、請求項１の発明に係るものであって、前記足場台は、前記骨組み機構から延設する複数の足場台用ステー上に架け渡され、前記手摺が、前記足場台の縁部周辺に立設された手摺支持部に傾倒可能に支持されるとともに、前記手摺の上端部が、前記ベランダ内で操作可能な第１の牽引手段で牽引されることを特徴としている。
【０００９】
請求項３記載の発明は、請求項２の発明に係るものであって、前記手摺は、前記第１の牽引手段で、前記伏臥姿勢から前記立ち上がり姿勢に移動された後、前記手摺支持部に磁力で固定するように構成されたロックピンで固定することにより、前記手摺の立ち上がり姿勢を保持することを特徴としている。
【００１０】
請求項４記載の発明は、請求項３の発明に係るものであって、前記足場台には開閉可能なハッチが配設され、前記ハッチが前記ベランダに配設された昇降可能なタラップに連結されるとともに前記ハッチの開口側先端が、前記ベランダ内で操作可能な第２の牽引手段で前記手摺に連結されていることを特徴としている。
【発明の効果】
【００１１】
本発明の請求項１の構成によれば、作業者が作業する作業デッキには、二段手摺と幅木が配設されるとともに、手摺を傾倒可能に構成してベランダ内で組み付け、作業デッキをベランダ外に押し出して固定した後、ベランダ内で操作して手摺を立ち上げるように構成している。これにより、作業者が、作業デッキに上る前に、手摺を立ち上がり姿勢に保持しておくことができ、厚生労働省が示した「手摺先行工法に関するガイドライン」を遵守することができ、高層住宅における外壁工事を廉価な費用で安全な作業で施工することができる。
【００１２】
本発明の請求項２の構成によれば、作業者が、作業デッキに上る前に、手摺の先端部に連結した第１の牽引手段で牽引することにより、伏臥姿勢の手摺を第１の牽引手段で立ち上がり姿勢に移動させることができる。したがって、作業者が作業デッキに上る際には、先行して手摺が正規の位置に保持されていることになり「手摺先行工法に関するガイドライン」を遵守することができる。
【００１３】
本発明の請求項３の構成によれば、手摺が伏臥姿勢から立ち上がり姿勢に移動した後、磁力で固定されるロックピンで固定することにより、ネジ締結するナットやワッシャ等の小物部品を使用しないで済むことから、作業内容を簡潔にするとともに小物部品を落下させる心配はなく、手摺を安全で確実に固定保持できる。
【００１４】
請求項４記載の構成によれば、作業者はベランダに設置されたタラップで作業デッキに上ることができるとともに、作業デッキに上る際には、手摺を立ち上がらせると同時にハッチに連結された第２の牽引手段をベランダ内で牽引してハッチを開けることになる。したがって、作業デッキ付近でハッチの開閉作業を行わないから、作業デッキへの昇降を安全に行うことができる。
【図面の簡単な説明】
【００１５】
【図１】本発明における実施形態の足場を示す全体斜視図である。
【図２】同側面図である。
【図３】図１における作業デッキを示す平面図である。
【図４】図１における作業デッキの正面手摺を示す背面図である。
【図５】同側面図である。
【図６】図１における手摺体の折り畳んだ状態を示す斜視図である。
【図７】ロックピンを示す断面図である。
【図８】図１における側面手摺を示す側面図である。
【図９】図８における側面手摺の傾倒可能な状態を示す正面図である。
【図１０】正面手摺の伏臥状態を示す側面図である。
【図１１】正面手摺の立ち上がり経過状態を示す側面図である。
【図１２】上段部が折り畳まれた正面手摺の立ち上がり状態を示す側面図である。
【発明を実施するための形態】
【００１６】
次に、本発明の工事用足場における二段手摺先行構造の実施形態を図面に基づいて説明する。本発明の工事用足場における二段手摺先行構造は、作業デッキに折り畳み及び傾倒可能な手摺体を有して、後述の作業デッキに上る前に手摺体を組付けることができるように構成するものである。そして、足場は、高層住宅のベランダ内で組み付け・解体可能に構成されるものである。なお、ベランダ１とは、高層住宅の室外において、下面に配置されるベランダ床面３と上面に配置されるベランダ天井壁５と側面に配置されるベランダ側壁７とで構成されている。以下、ベランダの幅方向における室内側をベランダ室内側といい、その反対側をベランダ室外側と言う。
【００１７】
図面については、ベランダ１側から外側に向かって足場１０を見たときを正面とし、ベランダ１の長手方向に沿って足場を見たときを側面という。図１は、実施形態の工事用足場(以下、単に足場という)１０の全体斜視図であり、図２はその側面図である。足場１０は、ベランダ床面３の長さ方向に沿ってベランダ１内で並列して設置された複数の骨組み機構１１と、各骨組み機構１１からベランダ側壁７の外側に設置された作業デッキ２０とを備えている。
【００１８】
骨組み機構１１は、ベランダ床面３とベランダ天井壁５とを突っ張るように構成されたものであれば、その構成に限定するものではないが、実施形態の骨組み機構１１は、図２に示すように、ベランダ床面３側からベランダ天井壁５側に向かって立設された角筒状の縦支柱１２と、縦支柱１２の上端で室内側に向かって直交する角筒状の横支柱１３と、横支柱１３のベランダ室内側端部と縦支柱１２の下端部とを連結して縦支柱１２と横支柱１３とで三角形を構成する円筒状の補助支柱１４と、を備えている。縦支柱１２の下端はベランダ床面３に高さ調整可能に支持された支持台１５が配置され、縦支柱１２の上端には、ベランダ天井壁５を押圧する押圧部１６が配置されている。さらに、縦支柱１２の上部には、ベランダ室外側に向かって延設する足場台用ステー１７が配置されている。複数の足場台用ステー１７の先端部同士を架け渡すように、足場台２１が配置され、足場台２１の周縁部に手摺体２３を装着することによって作業デッキ２０が構成される。
【００１９】
縦支柱１２の下部は、支持台１５に内嵌されるとともに、適宜な位置においてネジ締結又は磁石付きロックピンで固定される。
【００２０】
縦支柱１２の上端部には、縦支柱１２に対してベランダ床面３の長さ方向に沿って延設する角筒状の押圧部ベース１６１が固着され、押圧部ベース１６１上に一対の押圧ジャッキ１６２と、一対の押圧ジャッキ１６２間に配置される横支柱ベース１３１とが配置されている。横支柱ベース１３１は、角筒状に形成されるとともに押圧部ベース１６１と直交して、ベランダ１の幅方向に沿って配置されている。横支柱１３は、横支柱ベース１３１に内嵌してスライド可能に配置されている。押圧ジャッキ１６２の上端部には、ベランダ天井壁５を押圧する第１押圧体１６３が装着され、横支柱１３のベランダ室内側端部上面にはベランダ天井壁５を押圧する第２押圧体１６５を有する補助ジャッキ１６４が装着されている。つまり、一つの骨組み機構１１には、３箇所においてベランダ天井壁５を押圧していることになる。
【００２１】
作業デッキ２０は、各足場台用ステー１７上に架け渡す板状の足場台２１と、足場台２１の周りに設置する幅木２２及び手摺体２３とを有している。図３に示すように、実施形態における作業デッキ２０は、４基の骨組み機構１１(図１参照)からそれぞれ突出した足場台用ステー１７に３個の足場台２１を載置させている。つまり、実施形態においては、第１の足場台用ステー１７Ａと第２の足場台用ステー１７Ｂには足場台２１Ａが架け渡され、第２の足場台用ステー１７Ｂと第３の足場台用ステー１７Ｃには足場台２１Ｂが架け渡され、第３の足場台用ステー１７Ｃと第４の足場台用ステー１７Ｄには足場台２１Ｃが架け渡されている。足場台２１Ｂにはベランダ１から延設されるタラップ３０(図１参照)の上端部が接続するように設置されるとともに上下方向に開閉可能なハッチ２１１が配置されている。
【００２２】
図１に示すように、手摺体２３は、正面手摺２４と正面手摺２４の側部両側に配置される側面手摺２５とを備えている。幅木２２は、足場台２１の周りで足場台２１の端縁部の上部を覆うように、正面手摺２４、側面手摺２５の下部に装着されている。幅木２２を配置することにより作業者の足が足場台２１より外側に飛び出すことを防止している。
【００２３】
正面手摺２４は、作業デッキ２０の長手方向に沿って配置され、足場台用ステー１７の先端に取付けられている。図４〜５に示すように、各足場台用ステー１７のベランダ室外側先端には、正面手摺２４、側面手摺２５を支持する手摺支持部２６が配置されている。手摺支持部２６は、実施形態においては４本の足場台用ステー１７のベランダ室外側先端に装着された板状の当て板２６１と、当て板２６１の外面に配置されてパイプを挿入可能な手摺受け部２７とを備えている。手摺受け部２７は、後述の傾倒可能な手摺体２３の側部パイプ２４１ｂ又は縦枠支柱２４３を挿入して支持するための一対の支持板２７１、２７１を備えている(図４参照)。一対の支持板２７１、２７１間に、側部パイプ２４１ｂ又は縦枠支柱２４３を挿入するスペース２７２(図４参照)が形成されている。
【００２４】
正面手摺２４は、実施形態では、図４に示すように、上部パイプ２４１ａと側部パイプ２４１ｂとを形成する外枠体２４１内に、二段手摺を構成する少なくとも２段の横枠部２４２と縦枠支柱２４３とが配置されて格子状を形成している。側部パイプ２４１ｂと縦枠支柱２４３とは、その下端部が手摺受け部２７のスペース２７２内に挿入され、正面手摺２４が足場台用ステー１７上に立設されることとなる。
【００２５】
図６に示すように、正面手摺２４は、足場台用ステー１７のベランダ室外側先端部からベランダ室内側に向かって傾倒されるとともに、縦枠支柱２４３が、上段部２４３ａと下段部２４３ｂとに分割されて折り畳み可能に形成され、外枠体２４１が上段部と下段部とに分割して形成されている。つまり、側部パイプ２４１ｂと縦枠支柱２４３の上段部２４３ａと下段部２４３ｂとの分割される位置には、一方が開口されたパイプ状の折り畳み用ジョイント２８が配置されている。側部パイプ２４１ｂと縦枠支柱２４３の下段部２４３ｂの上部は折り畳み用ジョイント２８に連結され、上段部２４３ａは折り畳み用ジョイント２８に枢軸２８１で回動可能に配置されている。下段部２４３ｂの下部は、外枠支柱２４５に外嵌されて一対の支持板２７１に枢着されている。折り畳み用ジョイント２８は、縦枠支柱２４３の上段部２４３ａを下段部２４３ｂに対して折り畳み可能に構成されていれば、一対の薄板で縦枠支柱２４３を挟むように配置させてもよく、ベランダ側の端面を開口した角パイプ状又は丸パイプ状に形成してもよく、その他どのように形成されていてもよい。実施形態の折り畳み用ジョイント２８においては、縦枠支柱２４３の上段部２４３ａを囲むように、ベランダ側の端面を開口した角パイプ状に形成するとともに、側部パイプ２４１ｂの上段部又は縦枠支柱２４３の上段部２４３ａが、取付け板２４４を介して枢軸２８１を中心にして枢支可能に装着されている。
【００２６】
下段部２４３ｂは、上述のように、下部に縦枠支柱２４３を挿入する外枠支柱２４５を介して手摺受け部２７のスペース２７２に嵌入して構成されるとともに、手摺受け部２７の一対の支持板２７１に枢着軸２７３で枢支可能に支持されている。縦枠支柱２４３が立ち上がり姿勢になると、縦枠支柱２４３は、支持板２７１に、図７に示すように、ロックピン３２で締結される。
【００２７】
ロックピン３２は、図７に示すように、金属材で形成された円柱状の頭部３２１と円柱状の軸部３２２と、軸部３２２を挿通して頭部３２１に形成された凹部３２１ａに挿入する円環状の磁石部３２３と、を備えている。磁石部３２３は頭部３２１に接着剤により接着されて、一体化されたロックピン３２として形成されている。縦枠支柱２４３の下段部２４３ｂ及び、下段部２４３ｂを外嵌する外枠体２５１及び支持板２７１にロックピン３２を挿通することにより、ナットを締結させずに縦枠支柱２４３の立ち上がり姿勢を保持することができる。
【００２８】
なお、図４に示すように、手摺体２３の横枠部２４２のうち上段の横枠部２４２ａは、全ての縦枠支柱２４３の上段部２４３ａと固着するように水平方向に延設され、下段の横枠部２４２ｂは全ての縦枠支柱２４３の下段部２４３ｂの外方に固着するように水平方向に延設されている。また、縦枠支柱２４３の下段部２４３ｂ、２４３ｂ間に、足場台２１の先端上方に配置される幅木２２が縦枠支柱２４３に装着されている。
【００２９】
縦枠支柱２４３のうちの一つの縦枠支柱２４３Ａには、ベランダ１内に配置されて図示しないウインチに接続されるワイヤＷ（第１の牽引手段）が縦枠支柱２４３Ａに沿って張架されている。１本の足場台用ステー１７と縦枠支柱２４３Ａの下端と折り畳み用ジョイント２８に装着したそれぞれのプーリ２９にワイヤＷが張架され、ワイヤＷの先端が縦枠支柱２４３Ａの上段部２４３ａの先端付近に掛止されている。これにより、足場台２１上に伏臥姿勢にある手摺体２３はウインチの操作によって立ち上がり姿勢に配置されることになる。つまり、ワイヤＷを牽引すると、縦枠支柱２４３が伏臥姿勢から立ち上がり姿勢に移動するとともに、上段部２４３ａが枢軸２８１を中心に回転されて、上段部２４３ａと下段部２４３ｂの軸線が一致するまで回転される。また、図５に示すように、１本の縦枠支柱２４３Ａの下段部２４３ｂには、ハッチ２１１と連結するワイヤＷ１（第２の牽引油断）が張架されている。そのため、縦枠支柱２４３Ａが立ち上がり姿勢に移動すると同時にハッチ２１１が開くことになる。
【００３０】
側面手摺２５は、図１及び図８に示すように、正面手摺２４の両端から、正面手摺２４に直交して配置され、足場台２１の周りに立設されている。側面手摺２５は、上部枠部２５１ａと側部パイプ２５１ｂとを形成する外枠体２５１内に、少なくとも２段の横枠部２５２が配置されて二段手摺を構成している。側部パイプ２５１ｂは、その下端部が手摺受け部２７のスペース２７２内に挿入され、側面手摺２５が足場台用ステー１７上に立設されることとなる。
【００３１】
側面手摺２５は、図６及び図９に示すように、作業デッキ２０の両端の足場台用ステー１７に装着された一対の手摺受け部２７Ｓに傾倒可能に支持されている。手摺受け部２７Ｓは、一対の支持板２７１Ｓと、一対の支持板２７１Ｓの間に形成されるスペース２７２Ｓとを備え、側部パイプ２５１ｂの下部に外枠支柱２５５が外嵌されている。外枠支柱２５５は、スペース２７２Ｓに挿通され、一対の支持板２７１Ｓに枢着されている。側面手摺２５は一対の支持板２７１Ｓに配置した枢軸２７３Ｓを中心にして回転可能に構成され、立ち上がった状態で１対の支持板２７１Ｓと、外枠支柱２５５及び側部パイプ２５１ｂとにロックピン３２を挿通して立ち上がり状態を保持している。また、足場台用ステー１７の上部において、一対の手摺受け部２７Ｓ間に幅木２２が配置されている。
【００３２】
側面手摺２５は、正面手摺２４と同様、ベランダ１内のウインチで操作可能に構成される。つまり、図８に示すように、一対の側部パイプ２５１ｂのうち正面手摺２４側の側部パイプ２５１ｂの下方に、外枠支柱２５５に連結された延長パイプ２５７が一対の支持板２７１Ｓに固着して配置されている。図９に示す延長パイプ２５７にはワイヤＷ２が張架されている。ワイヤＷ２は作業デッキ２０両端に配置された一対の側面手摺２５に張架されている。そのため、ワイヤＷ２を引っ張ることにより、延長パイプ２５７が枢軸２７Ｓを中心にして回転され、一対の側面手摺２５が傾倒位置から立ち上がり位置に向かって回転される。
【００３３】
なお、正面手摺２４及び側面手摺２５が立ち上がり姿勢を保持した状態で、正面手摺２４と側面手摺２５とをつなぐフック部材を配置することが望ましい。例えば、側面手摺２５の上方の位置において、一方にフック部を形成した図示しないフック部材を回転可能に取付けておけば、正面手摺２４と側面手摺２５とが立ち上がったときに、フック部材のフック部を正面手摺２４に掛止させることによって、正面手摺２４と側面手摺２５とが開くことを防止することができる。
【００３４】
次に、上述のように構成された足場Ｍの作用について説明する。
【００３５】
まず、骨組み機構１１、作業デッキ２０を構成する部品及びタラップ３０等の部品をエレベータにて作業する階層のベランダ１に運ぶ。ベランダ１内で、骨組み機構１１、作業デッキ２０を組み付けて足場Ｍの仮組付を行う。骨組み機構１１を組付ける際、ベランダ１内においてベランダ室内側に近づけた状態で組付し、作業デッキ２０を折り畳んだ状態で装着した後、足場Ｍをベランダ側壁７側に移動させて、所定の位置において、骨組み機構１１を、ベランダ床面３とベランダ天井壁に突っ張るようにして固定する。作業デッキ２０が所定の位置に配置されるとタラップ３０を作業デッキ２０に昇降可能に配置する。
【００３６】
次に、作業デッキ２０に上る前に、作業デッキ２０の手摺体２３を立ち上げる。作業デッキ２０で作業する際には、足場台２１に上る前には、手摺体２３を立ち上げて、安全作業するように定められているため、手摺体２３を先行して立ち上げることによって、作業デッキ２０に上った作業者の周りを囲むようにしておく必要がある。手摺体２３は、図６に示すように足場台２１に対して伏臥姿勢にあることから、ベランダ１内に設置したウインチを操作して、図１０〜１２に示すように、手摺体２３を伏臥姿勢から立ち上がり姿勢に移動させる。図１０において、正面手摺２４は、足場台２１に接近した状態で伏臥姿勢にある。この際、縦枠支柱２４３の上段部２４３ａは、下段部２４３ｂに対して、折り畳み用ジョイント２８部位で折り畳まれて、下段部２４３ｂの下方に重ねられている。
【００３７】
ベランダ１内でウインチを操作し、ワイヤＷを牽引すると、図１１に示すように、１本の縦枠支柱２４３Ａは、枢着軸２７３を中心にして、立ち上がり姿勢に向かって回転される。１本の縦枠支柱２４３Ａは、横枠部２４２と別の縦枠支柱２４３で固定されていることから、縦枠支柱２４３Ａが立ち上がり姿勢に向かって移動することによって、正面手摺２４全体が立ち上がり姿勢に向かって立ち上がることになる。この際、上段部２４３ａは下段部２４３ｂに対して、自重により、少し開くとともに、ハッチ２１１が、縦枠支柱２４３ＡにワイヤＷ１で張架されていることにより、ハッチ２１１が縦枠支柱２４３Ａとともに、上方に向かって開くことになる。
【００３８】
ウインチを操作して、さらにワイヤＷを牽引すると、図１２に示すように、縦枠支柱２４３の下段部２４３ｂが垂直方向に立設され、ワイヤＷをさらに牽引すると、上段部２４３ａは、枢軸２８１を中心にして下段部２４３ｂに対して回転されることになる。さらに、ワイヤＷを牽引すると、図５に示すように、上段部２４３ａと下段部２４３ｂとの軸心が一致することになり、縦枠支柱２４３Ａが立ち上がり姿勢に達し、正面手摺２４全体が立ち上がり姿勢に達することになる。同時にハッチ２１１も足場台２１に対して開口完了することになる。
【００３９】
一方、側面手摺２５は、正面手摺２４と同様、作業者が作業デッキ２０に上る前は、伏臥姿勢にある。作業者が、作業デッキ２０で作業するために作業デッキ２０に上る際には、ベランダ１内に設置したウインチでワイヤＷ２を牽引する。図９に示すように、側面手摺２５は、ワイヤＷ２を引っ張ることにより、延長パイプ２５７を１対の支持板２７１Ｓとともに枢軸２７３Ｓを中心にして回転させて立ち上がり姿勢に向かって移動される。
【００４０】
正面手摺２４と側面手摺２５とが伏臥姿勢から立ち上がり姿勢に移動完了すると、作業者は、タラップ３０を上り作業デッキ２０に上ることになり、折り畳み用ジョイント２８及び支持板２７１にロックピン３２を挿通して、縦枠支柱２４３の立ち上がり姿勢を保持する。また、１対の支持板２７１Ｓと縦枠支柱２４３にロックピン３２を挿通することにより、側面手摺２５を固定させて立ち上がり状態を保持する。その後、外壁の清掃工事を行うことになる。
【００４１】
所定の階層での清掃工事を終了すると、作業者は、作業デッキ２０からベランダ１内に降りる。ベランダ１内のウインチ操作で手摺体２３を伏臥状態にした後、作業デッキ２０をベランダ室内方向に向かって移動させ、足場１０の解体作業を行う。そして次の作業場又は階層に移動することになる。
【００４２】
上述のように、本願発明の工事用足場における二段手摺先行構造によれば、作業デッキ２０には、折り畳み可能に構成された正面手摺２４と側面手摺２５とを有する手摺体２３を備えている。正面手摺２４と側面手摺２５とは、少なくとも２段に並設した横枠部２４２、２５２と、正面手摺２４、側面手摺２５に足場台２１から立設するように設けた幅木２２とを備えて、伏臥姿勢と立ち上がり姿勢との間を移動可能に構成されている。つまり、ベランダ１内で足場１０を組み立てる場合には、手摺体２３を伏臥姿勢にした状態で仮組付をして、ベランダ側壁７から外方に突出させて足場１０を設置する。
【００４３】
作業デッキ２０で作業する場合には、作業者が作業デッキ２０に上る前に、ベランダ１内でウインチを操作して、手摺体２３を立ち上げる。正面手摺２４、側面手摺２５及び幅木２２で足場台２１の周りを囲むように構成するから、作業者の安全が守れることになり、厚生労働省が示した「手摺先行工法に関するガイドライン」を遵守することができる。
【００４４】
又、立ち上がった正面手摺２４及び側面手摺２５にロックピン３２を挿通させるだけで立ち上がり姿勢を保持することから、ボルトやナットで締結する作業を作業デッキ２０内で行うことがなく、ボルトやナットの締結時に、ボルトやナットを落下させる虞はない。
【符号の説明】
【００４５】
１、ベランダ
３、ベランダ床面
５、ベランダ天井壁
７、ベランダ側壁
１０、足場
１１、骨組機構
１２、縦支柱
１３、横支柱
１４、補助支柱
１５、支持台
１６、押圧部
１６３、第１押圧体
１６５、第２押圧体
１７、足場台用ステー
２０、作業デッキ
２１、足場台
２１１、ハッチ
２２、幅木
２３、手摺体
２４、正面手摺
２５、側面手摺
３０、タラップ
３２、ロックピン
Ｗ、ワイヤ
Ｗ１、ワイヤ
Ｗ２、ワイヤ
【図１】
2011094386.tif 000003
【図２】
2011094386.tif 000004
【図３】
2011094386.tif 000005
【図４】
2011094386.tif 000006
【図５】
2011094386.tif 000007
【図６】
2011094386.tif 000008
【図７】
2011094386.tif 000009
【図８】
2011094386.tif 000010
【図９】
2011094386.tif 000011
【図１０】
2011094386.tif 000012
【図１１】
2011094386.tif 000013
【図１２】
2011094386.tif 000014